(57)【特許請求の範囲】
【請求項１】
ねじ付き容器本体の雄ねじ部が形成された口部に金属キャップを螺着状態に装着したねじ付き容器であって、
前記金属キャップが、天板部と該天板部の周縁から垂下した筒状周壁部と該筒状周壁部の下に複数の橋絡部で結合されたピルファープルーフ部とからなるキャップ本体と、前記天板部の内面に設けられたライナーとを備え、
前記口部が、前記ライナーと接する口唇部と、該口唇部の下に形成された前記雄ねじ部と、該雄ねじ部の下に膨出して形成され前記ピルファープルーフ部が圧着された外周面を有する膨出部とを備え、
該膨出部が、前記外周面に、中心軸に直交する断面形状において少なくとも一部が真円形状に対して内側に歪んでいる部分を有していることを特徴とするねじ付き容器。
【請求項２】
請求項１に記載のねじ付き容器において、
前記歪んでいる部分が、中心軸に対して点対称の位置に形成されていることを特徴とするねじ付き容器。
【請求項３】
請求項１又は２に記載のねじ付き容器において、
前記歪んでいる部分が、周方向において徐々に曲率が変化していることを特徴とするねじ付き容器。
【請求項４】
請求項１から３のいずれか一項に記載のねじ付き容器において、
前記膨出部の前記外周面の中心軸に直交する断面形状が、楕円形状であることを特徴とするねじ付き容器。
【請求項５】
請求項１から３のいずれか一項に記載のねじ付き容器において、
前記歪んでいる部分が、前記膨出部の前記外周面の中心軸に対する傾斜角度が周方向において他の部分と異なっていることを特徴とするねじ付き容器。
【発明の詳細な説明】
【技術分野】
【０００１】
本発明は、開栓トルクの制御が可能なねじ付き容器に関する。
【背景技術】
【０００２】
一般に、アルミニウム製等のボトル缶には金属キャップが使用されている。この金属キャップは、その密封性を発現させるためにライナーを具備したものが広く使用されている。この金属キャップは、アルミニウム薄板、ブリキ薄板、クロム鍍金薄板等の両面に数回の塗装を繰り返し、打ち抜き成形したものをシェルとし、これに合成樹脂性ライナーを設けている。なお、金属キャップとしては、特にアルミニウム板を使用したアルミニウム製キャップが現在、その主な部分を占めている。
【０００３】
このアルミニウム製キャップは、−部のキャップを除いてミシン目が入った裾部（スカート部）が開栓時に切断されて、開栓されたことを明示する機構になっている。すなわち、アルミニウム製キャップは、一方が閉じた円筒形になっており、裾部に円周上にミシン目を入れた状態になっている。なお、この裾部におけるミシン目（橋絡部、ブリッジ部）下部を、ピルファープルーフ（ＰＰ）部やＰＰバンド部と呼ばれている。
【０００４】
このアルミニウム製キャップを使用したねじ付き容器は、ねじ付き容器本体の口部にアルミニウム製キャップを被せ、圧力を加えながら、ネジローラーとスカートローラーとを使用して、ネジの形成を行うと共に、キャップの裾部を口部の膨出部（かぶら部、ボトル顎部ともいう）に巻き付けた構造になっている。
また、開栓は、キャップを回転させることにより、キャップが口部のネジに沿って上がることによってなされる。このとき、口部の下部に構成された膨出部に巻きついたＰＰバンド部はキャップ本体とミシン目とから切断され、上述したように、開封が明示される構造になっている。
【０００５】
また、ライナーの成型法としては、溶融したライナー樹脂をシェルに一定量入れて型押しするインシェルモールド方式、ライナーを予め射出成型等で成型してそのライナーキャップシェルに挿入する方法、ライナー材をシートに成型し、キャップシェルの上でディスク状に打ち抜き、シェルに挿入するディスクライナー挿入方法等がある。また、近年、硬い樹脂を摺動層とし、柔らかい樹脂を密封層として、両者を貼合したライナーや、硬質樹脂をライナーとしてシェルに予め挿入し、これに柔軟な樹脂をインシェルモールドして密封層を構成する方式のものが提案されている。その他に、ライナー成型にはリングライニング方式等の方法もあるが、コスト面、衛生面で使用範朋は限定される。
【０００６】
これらのライナーを使用したキャップでは、密栓後に開栓する場合、その開栓トルクは、キャップのライナー面とボトル口部との接触抵抗が主である。その他に、キャップとボトルのネジ部との摩擦抵抗や、キャップとかぶら部（ボトル顎部）との接触抵抗がある。この開栓トルクは、開栓時に絶対必要な力であるため、高いと高すぎるという市場からのクレームが発生し、低すぎると漏れやすくなり、消費者に開栓済みの可能性を疑われるという問題がある。従って、開栓トルク値は高すぎても低すぎても問題があり、適度は開栓トルクが要求される。
【０００７】
今までにライナー材と容器口部との摩擦抵抗を下げるためには、滑剤を入れたり、ライナー形状を変えたりしてその対応をしている。これに対し、低すぎる場合の対応については、その対応が求められている場合が少ないためその対応策が少ない。
従来、これらの問題に対して、いくつかの提案がなされている。例えば、特許文献１に記載された技術等が提案されている。この技術は、ナール部に一定間隔の穴をあけ、ライナーをインシェルモールドする場合、樹脂（ライナー）を穴から出すことにより手の握る感覚が良いという利点がある。
【０００８】
しかし、この方法は、ライナーの量が増えることによるコストアップにつながる。また、この方法は、トルクをコントロールするのではなく、握りの感覚を良くして見かけの開栓トルクを下げているだけである。また、特許文献２には、金属キャップの外面にＵＶインキで凹凸を付けて滑り難くしたキャップ及びその製法が提案されている。この方法も、キャップの滑り難さを僅かに改良したものである。さらに、特許文献３には、キャップ外面に発泡剤を添加した塗料を塗装することにより、キャップを握りやすくし、見かけの開栓性を下げるという方法が提案されている。
【先行技術文献】
【特許文献】
【０００９】
【特許文献１】特公平３−６６２２８号公報
【特許文献２】特開２００８−２３０６７８号公報
【特許文献３】特開２００８−９４４６７号公報
【発明の概要】
【発明が解決しようとする課題】
【００１０】
上記従来の技術には、以下の課題が残されている。
すなわち、上記の従来技術は、キャップの握り易さを主に意図したものであり、キャップの開栓時のトルクをコントロールしたものではない。
ＰＰキャップの開栓トルクには、第１トルクと第２トルクとがある。第１トルクは、開栓時、回転を始めるときのトルク値であり、第２トルクは、キャップシェルのブリッジ部が切断されるときのトルク値である。
これらの開栓トルク値をコントロールすることは比較的困難であるため、ナール部（ローレット）の形状、大きさ、数等を変更して握り易さを工夫している場合が多く、上記のような案が提案されている。
例えば、上記第１トルクを安定させる方法として、プラスチックキャップではＰＰバンド部がラチェットになっているキャップがある。これは、ＰＰバンド部がラチェットになっており、ビン口にキャッピングすると、ビンかぶら部（ボトル顎部）側面に形成されているラチェットとかみ合い、外れ無くなる方式である。この場合、第１トルクは安定するが、ラチェット同士がしっかりかみ合っているために開栓時の第１トルクは容器口唇部とキャップライナーとの摩擦と、ブリッジ切断の力とが合成される。すなわち、第１トルクと第２トルクとが同時に発現するために、開栓トルク値が異常に高くなるという結果になる。
第１トルクは、ライナーと容器口部との摩擦抵抗と、容器及びキャップのネジ部の摩擦抵抗と容器口部の顎部とキャップＰＰバンド部との摩擦抵抗の合計であるが、第１トルク値に占める主なものは、ライナーと容器口部との摩擦抵抗である。したがって、第１トルクを上げたり、下げたりする場合は、上述したように通常、ライナー材の滑剤の添加量を増減したり、ライナー形状を変えたりして対応している。しかしながら、滑剤の量を増減しても適切なトルクを得ることは難しい。また、従来、第２トルクをコントロールするためには、ブリッジの幅、数をコントロールしたり、シェルの材質、厚さを変えたりしてコントロールしている。
ここで、第１トルクが低すぎる場合、滑剤の量を減らす等の対応が有るが、滑剤を使用していないか、殆ど使用していない場合は、第１トルクを上げるのは困難である。特に、ライナー材が摺動層と密封層とに分かれているライナーでは、通常、摺動層に滑剤が添加されていないため、第１トルクの低トルク問題に対しては、摺動層に滑り性を下げる粘着剤、樹脂等をブレンドする方法、摺動層の樹脂材の硬度を下げる等の方法が考えられるが、これらは一長一短があり、必ずしも適切な方法ではない。すなわち、これらの方法は、新規に摺動層を作成することに他ならず、ブレンド等によってコストアップにつながる。また、樹脂の硬度を下げると、ライナーが開栓時にシェルから外れてしまうという問題が発生する。
また、低い第１トルクが出現する場合は、熱処理をしたときに多い。例えば、キャッピング直後の開栓トルクが適切でも、レトルト処理を加えることにより第１トルクが著しく下がり、危倶されるようなトルク値になることがある。これは、主にライナーの熱による塑性変形が起こり、反撥弾性が下がることにより開栓トルクが下がるものである。
【００１１】
本発明は、前述の課題に鑑みてなされたもので、ライナーを変更する必要が無く、開栓トルクのうち第１トルクを必要なレベルに上げることができるねじ付き容器を提供することを目的とする。
【課題を解決するための手段】
【００１２】
本発明は、前記課題を解決するために以下の構成を採用した。すなわち、第１の発明に係るねじ付き容器は、ねじ付き容器本体の雄ねじ部が形成された口部に金属キャップを螺着状態に装着したねじ付き容器であって、前記金属キャップが、天板部と該天板部の周縁から垂下した筒状周壁部と該筒状周壁部の下に複数の橋絡部で結合されたピルファープルーフ部とからなるキャップ本体と、前記天板部の内面に設けられたライナーとを備え、前記口部が、前記ライナーと接する口唇部と、該口唇部の下に形成された前記雄ねじ部と、該雄ねじ部の下に膨出して形成され中心軸に対して傾斜して前記ピルファープルーフ部が圧着された下面を有する膨出部とを備え、該膨出部が、その下面又は側面に中心軸に直交する断面形状において少なくとも一部が真円形状に対して内側に歪んでいる部分を有していることを特徴とする。
【００１３】
このねじ付き容器では、膨出部が、その下面又は側面に中心軸に直交する断面形状において少なくとも一部が真円形状に対して内側に歪んでいる部分を有しているので、螺着状態の金属キャップを回転させて開栓開始する際に、膨出部下面又は側面の歪んでいる部分に圧着されているピルファープルーフ部の部分が半径方向外方に広げられて高い抵抗が生じ、真円形状の場合に比べて第１トルクを高めることができる。また、前記歪んでいる部分の数や歪み度合いで、適度な第１トルクに調整することができる。
また、特に重要なのは、開栓時、金属キャップがある程度の角度、回動してから、ピルファープルーフ部が、ブリッジ部（橋絡部）で切断可能な状態となるため、本発明では、第１トルクと第２トルクとが明確に分かれて別々に制御することが可能になる。
【００１４】
このように、本発明者らは鋭意検討の結果、開栓時、第１トルクに僅かにしか寄与していないピルファープルーフ部（ＰＰバンド部）と、膨出部（かぶら部）下面又は側面との嵌合において、膨出部下面又は側面の形状を断面真円形状から僅かに変更することにより、第１トルクを上げる方法を見出すことが出来た。
すなわち、膨出部下面又は側面の形状を円周に沿って同一の形状にするのではなく、膨出部の下面又は側面の一部を、僅かに変形させた形状にすることである。このことにより、開栓時の第１トルクは要求される高さのトルク値まで上昇させることができる。本発明は、第１トルクがライナーと口部との接触によらず、シェル面とライナー面で摺動する場合も第１トルクをコントロールする有効な方法である。
【００１５】
従来、上述したように、容器のかぶら部の側面に凹凸を付け、あるいは樹脂キャップのようにキャッピングでＰＰバンド部にラチェットを持ったキャップを締め込んでいくことにより、容器のかぶら部側面に付いたラチェットとかみ合い開栓時には噛み合ったラチェットが外れないため、ブリッジ部が破断するという構造になっているものがある。この方式のキャップは、第１トルクと第２トルク（ＰＰバンド部のブリッジを切断するトルク）との合計になるので、開栓トルクは高くなるが、この場合、逆に高くなりすぎるという欠点がある。すなわち、この方法では容器のかぶら部側面とＰＰバンド部とが共に噛み合わさり、開栓時にライナーと口部との摩擦の他に、ブリッジ部（橋絡部）を切断する為のトルクが必要である。これにより必然的に第１トルクは高くなることになる。また、この方式では、キャップとボトルとが従来の形状ではなく、新規の形状になってしまう。さらに、ブリッジ強度を下げることが検討されるが、この場合、キャッピング時にブリッジ部が破断するおそれがあるという問題が発生する。
これらに対して本発明では、上記従来の欠点を完全に除去し、必要な第１トルク値を得るものである。
【００１６】
第２の発明に係るねじ付き容器は、第１の発明において、前記歪んでいる部分が、中心軸に対して点対称の位置に形成されていることを特徴とする。
すなわち、このねじ付き容器では、前記歪んでいる部分が、中心軸に対して点対称の位置に形成されているので、開栓時に周方向でバランス良く第１トルクを発生させることができる。
【００１７】
第３の発明に係るねじ付き容器は、第１又は第２の発明において、前記歪んでいる部分が、周方向において徐々に曲率が変化していることを特徴とする。
すなわち、このねじ付き容器では、前記歪んでいる部分が、周方向において徐々に曲率が変化しているので、開栓開始時に徐々に抵抗が高くなり、引っ掛かるような感覚を無くし、適度に上げた第１トルクでスムーズな開栓が可能になって、開栓性が向上する。
【００１８】
第４の発明に係るねじ付き容器は、第１から第３の発明のいずれかにおいて、前記膨出部の下面又は側面の中心軸に直交する断面形状が、楕円形状であることを特徴とする。
すなわち、このねじ付き容器では、膨出部の下面又は側面の中心軸に直交する断面形状が、楕円形状であるので、断面楕円形状の短軸方向が前記歪んでいる部分となり、この部分に接するピルファープルーフ部が開栓により長軸方向に向けて回転することで、高い抵抗を生じさせることができる。
【００１９】
第５の発明に係るねじ付き容器は、第１から第３の発明のいずれかにおいて、前記歪んでいる部分が、前記膨出部の下面の中心軸に対する傾斜角度が周方向において他の部分と異なっていることを特徴とする。
すなわち、このねじ付き容器では、前記歪んでいる部分が、膨出部の下面の中心軸に対する傾斜角度が周方向において他の部分と異なっているので、ピルファープルーフ部が開栓により傾斜角度の異なる膨出部の下面に向けて回転することで、高い抵抗を生じさせることができる。例えば、膨出部の下面の角度を、４５°±１０°の範囲になめらかに変化させる。
【発明の効果】
【００２０】
本発明によれば、以下の効果を奏する。
すなわち、本発明に係るねじ付き容器によれば、膨出部が、その下面又は側面に中心軸に直交する断面形状において少なくとも一部が真円形状に対して内側に歪んでいる部分を有しているので、真円形状の場合に比べて第１トルクを高めることができると共に、前記歪んでいる部分の数や歪み度合いで、適度な第１トルクに調整することができる。
【図面の簡単な説明】
【００２１】
【図１】本発明に係るねじ付き容器の第１実施形態において、断面楕円形状の長軸上で一部を破断したねじ付き容器本体の口部を示す正面図及びＡ−Ａ線断面図である。
【図２】第１実施形態において、金属キャップを示す正面図である。
【図３】第１実施形態において、プリフォーム（絞り加工）されたライナー付き金属キャップがキャッピングマシンでキャッピングされる状態を示す要部を断面とした説明図である。
【図４】本発明に係るねじ付き容器の第２実施形態において、一部を破断したねじ付き容器本体の口部を示す正面図及びＢ−Ｂ線断面図である。
【発明を実施するための形態】
【００２２】
以下、本発明に係るねじ付き容器の第１実施形態を、図１から図３を参照しながら説明する。
【００２３】
本実施形態のねじ付き容器１は、図１及び図２に示すように、ねじ付き容器本体２の雄ねじ部２ａが形成された口部２ｂに金属キャップ３を螺着状態に装着したねじ付き容器であって、金属キャップ３が、天板部３ａと該天板部３ａの周縁から垂下した筒状周壁部３ｂと該筒状周壁部３ｂの下に複数の橋絡部３ｃで結合されたピルファープルーフ部３ｄとからなるキャップ本体４と、天板部３ａの内面に設けられたライナー５とを備えている。
【００２４】
上記口部２ｂは、ライナー５と接する口唇部２ｃと、該口唇部２ｃの下に形成された上記雄ねじ部２ａと、該雄ねじ部２ａの下に膨出して形成され中心軸Ｃに対して傾斜してピルファープルーフ部３ｄが圧着された下面を有する膨出部２ｅとを備えている。
該膨出部２ｅは、その下面又は側面に、中心軸に直交する断面形状において少なくとも一部が真円形状に対して内側に歪んでいる部分Ｄ１を有している。すなわち、歪んでいる部分Ｄ１は、断面形状が真円形状に沿った他の部分よりも曲率が大きく、歪んでいる部分Ｄ１以外の部分は、断面形状が真円形状の一部に一致した形状となっている。
また、前記歪んでいる部分Ｄ１が、中心軸Ｃに対して点対称の位置に形成されている。すなわち、本実施形態の膨出部２ｅは、中心軸Ｃを挟んで互いに対向した一対の前記歪んでいる部分Ｄ１を有している。
【００２５】
さらに、前記歪んでいる部分Ｄ１は、周方向において徐々に曲率が変化しており、本実施形態では、膨出部２ｅの下面又は側面の中心軸Ｃに直交する断面形状が、楕円形状とされている。すなわち、断面楕円形状の膨出部２ｅにおいて、短軸上の部分が最も歪んでいる部分Ｄ１となり、長軸上の部分だけが、その断面形状が真円形状に一致している。
【００２６】
また、前記歪んでいる部分Ｄ１は、膨出部２ｅの下面において、中心軸Ｃに対する傾斜角度θ１が周方向において他の部分の傾斜角度θ２と異なっている。すなわち、図１に示すように、断面楕円形状の膨出部２ｅにおいて、短軸上における傾斜角度θ１は、長軸上の傾斜角度θ２よりも僅かに小さくなっている。なお、上記傾斜角度θ１と傾斜角度θ２との角度差は、１０°以内が好ましく、さらには５°以内であることがより好ましい。
【００２７】
上記ライナー５は、モールドシートを採用する場合、主にポリエチレンやＥＶＡ（Ｅｔｙｌｅｎ  Ｖｉｎｙｌ  Ａｃｅｔａｒｅ）等で形成される。また、ライナー５として、天板部３ａの内面に接して配された摺動層と、該摺動層に積層され摺動層よりも柔軟な材質の密封層とを備えている２層ライナーを採用しても構わない。この場合、摺動層は、通常の硬質の樹脂（例えばポリプロピレン樹脂）でも良いし、バリアー樹脂（例えばＥＶＯＨ樹脂、ナイロン等）でも良いし、多層シート（例えばＰＰ／ＥＶＯＨ／ＰＰ）でも良い。また、密封層は、スチレン系エラストマーで形成することが好ましい。
【００２８】
このライナー５を内側に配した金属キャップ３をキャッピングする場合は、図３に示すように、金属キャップ３をねじ付き容器本体２の口部２ｂに被せた後、上から一定の荷重を加えながら、ねじ切りローラー１１により側方から筒状周壁部３ｂを口部２ｂの雄ねじ部２ａに押しつけて、雄ねじ部２ａに沿って筒状周壁部３ｂに雌ねじ部３ｅを形成する。なお、符号８は、スカートローラーである。
【００２９】
このとき、プレッシャーパッド１０により天板部３ａを筒状周壁部３ｂの垂下方向に押し付けると同時に、プレッシャーブロック９により天板部３ａの周壁に形成されている環状傾斜部３ｆを筒状周壁部３ｂの垂下方向にさらに変形させて肩絞りする。このように、キャッピング時のヘッドのプレッシャーブロック９が肩絞り状態でセットされている状態で、雌ねじ部３ｅの形成がなされる。
【００３０】
また、このキャッピング時のシーリングにより、ライナー５とねじ付き容器本体２の口部２ｂとの接する部分が非接着状態又は弱接着状態に接触して密封状態を確保している。
このように、金属キャップ３を口部２ｂに装着して螺着状態にキャッピングすると共に環状傾斜部３ｆを筒状周壁部３ｂの垂下方向にさらに変形させて肩絞り加工を施すことで、キャッピングとシーリングとを行っている。
さらに、上記のねじ部成形及び肩絞り加工と共に、金属キャップ３のピルファープルーフ部３ｄ（裾部）をねじ付き容器本体２の膨出部２ｅ（かぶら部）に巻きつけることにより、ロールオンキャッピングは完了する。すなわち、膨出部２ｅの歪んでいる部分Ｄ１にもピルファープルーフ部３ｄが圧着されて、キャッピングされる。
【００３１】
このように本実施形態のねじ付き容器１では、膨出部２ｅが、その下面又は側面に中心軸に直交する断面形状において少なくとも一部が真円形状に対して内側に歪んでいる部分Ｄ１を有しているので、螺着状態の金属キャップ３を回転させて開栓開始する際に、膨出部２ｅ下面又は側面の歪んでいる部分Ｄ１に圧着されているピルファープルーフ部３ｄの部分が半径方向外方に広げられて高い抵抗が生じ、真円形状の場合に比べて第１トルクを高めることができる。なお、前記歪んでいる部分Ｄ１の歪み度合い（扁平率：長軸と短軸との比率）を適宜設定することで、適度な第１トルクに調整することができる。
【００３２】
また、前記歪んでいる部分Ｄ１が、中心軸Ｃに対して点対称の位置に形成されているので、開栓時に周方向でバランス良く第１トルクを発生させることができる。
さらに、前記歪んでいる部分Ｄ１が、周方向において徐々に曲率が変化しているので、開栓開始時に徐々に抵抗が高くなり、引っ掛かるような感覚を無くし、適度に上げた第１トルクでスムーズな開栓が可能になって、開栓性が向上する。
【００３３】
特に、本実施形態では、膨出部２ｅの下面又は側面の中心軸Ｃに直交する断面形状が、楕円形状であるので、断面楕円形状の短軸方向が前記歪んでいる部分Ｄ１となり、この部分に接するピルファープルーフ部３ｄが開栓により長軸方向に向けて回転することで、高い抵抗を生じさせることができる。
【００３４】
次に、本発明に係るねじ付き容器の第２実施形態について、図４を参照して以下に説明する。なお、以下の実施形態の説明において、上記実施形態において説明した同一の構成要素には同一の符号を付し、その説明は省略する。
【００３５】
第２実施形態と第１実施形態との異なる点は、第１実施形態では、膨出部２ｅの下面又は側面の中心軸Ｃに直交する断面形状が楕円形状であるのに対し、第２実施形態のねじ付き容器におけるねじ付き容器２２は、図４に示すように、膨出部２２ｅの側面の中心軸Ｃに直交する断面形状が、四方の４箇所で真円形状に対して内側に歪んでいる点である。すなわち、第２実施形態の膨出部２２ｅは、歪んでいる部分Ｄ２として中心軸Ｃを中心に四方に配置された平坦面部を有している。
【００３６】
したがって、第２実施形態のねじ付き容器では、４箇所の平坦面部である前記歪んでいる部分Ｄ２が膨出部２２ｅの側面に形成されているので、第１実施形態と同様に、螺着状態の金属キャップ３を回転させて開栓開始する際に、膨出部２２ｅ下面又は側面の歪んでいる部分Ｄ２に圧着されているピルファープルーフ部３ｄの部分が半径方向外方に広げられて高い抵抗が生じ、真円形状の場合に比べて第１トルクを高めることができる。なお、前記歪んでいる部分Ｄ２の数や広さ等を適宜設定することで、適度な第１トルクに調整することができる。
【実施例】
【００３７】
＜実施例１＞
次に、本発明のねじ付き容器を作製して、開栓時の第１トルク等について評価した結果を以下に説明する。
なお、金属キャップ用の板材として、厚さ０．２４ｍｍのアルミニウム板の両面に合成樹脂塗料を焼付塗装し、内面には、エポキシフェノール塗料を、外面はポリエステル塗料を焼き付けたものを使用した。さらに、これをプレス機で呼び径３８ｍｍＰＰキャップのシェルに打ち抜き、ナール加工及びミシン目加工を施して金属キャップとした。このシェル内にライナーとして、軟質樹脂のシートを打抜き成型したものを配した。
【００３８】
ねじ付き容器本体としては、呼び径３８ｍｍ口径のアルミボトル缶において膨出部（かぶら部）の下面（裾部）に前記歪んでいる部分が形成されており、表１に示すように、その傾斜角度θ１が異なるものと、前記歪んでいる部分の数が異なるものとを作製した。すなわち、前記歪んでいる部分が１つのものは、第１実施形態の一対の前記歪んでいる部分の一方のみ形成されている場合であり、前記歪んでいる部分が２つのものは、第１実施形態のねじ付き容器本体そのものである。また、前記歪んでいる部分が４つのものは、中心軸を中心に四方に第１実施形態の前記歪んでいる部分が形成されているものである。すなわち、この実施例では、断面形状が真円形状よりも曲率の小さい前記歪んでいる部分と断面形状が真円形状の曲率とされた部分とが、互いに４つ周方向に交互に等間隔で配されている。
【００３９】
これらの呼び径３８ｍｍのアルミボトル缶（ねじ付き容器本体）に、８０℃の熱水を２７５ｍｌ充填し、常法により供試キャップでキャッピングして本発明の実施例とした。なお、キャッピングは、ヘッド圧を１，０００Ｎで行なった。また、絞り深さは、１．８ｍｍとした。
【００４０】
このように作製した実施例について、１１５℃、２０分のレトルト処理を加え、放冷後、開栓トルクを測定した。また、このとき、金属キャップのピルファープルーフ部（ＰＰバンド部）の橋絡部（ブリッジ部）が切れずに開栓されたもの（「すっぽ抜け」と称す）の発生状態を調べた。なお、比較例として、通常の呼び径３８ｍｍＰＰキャップ用ボトル缶、すなわち、膨出部の断面形状が真円形状ものについても、同様に供試した。
この結果、表１に示すように、本発明の実施例では、比較例に比べて第１トルクが向上していると共にすっぽ抜けが生じていないことがわかる。
【００４１】
【表１】
0005930844.tif 000002
注１：膨出部下面の傾斜角度の位置は、前記歪んでいる部分が１つの場合、最大値と最小値とは対角にあり、ほぼ連続的に形成されている。
また、膨出部下面の傾斜角度は、前記歪んでいる部分が２つ又は４つの場合、最大値と最小値とが周方向に交互に形成されている。
【００４２】
＜実施例２＞
次に、第２実施形態のねじ付き容器のように、表２に示すように、平坦面部の前記歪んでいる部分を複数有して膨出部の断面形状が略多角形状になっているものを、上記と同様に供試した。
なお、レトルト処理は、１２５℃、２０分とした。また、キャッピング時にヘッドスペース部に液体窒素を滴下し、内圧がほぼ１００ｋＰａになるように調整した。また、キャッピングマシンのスカートローラーは、金属キャップのピルファープルーフ部（裾部）をねじ付き容器本体に巻きこむと同時に、膨出部（かぶら部）に確実に接触させる構造のものを使用した。
【００４３】
また、平坦面である前記歪んでいる部分は、第２実施形態と同じ４つのものと、周方向に等間隔に配した８つのものとをそれぞれ実施例として作製した。
なお、比較例として、通常の呼び径３８ｍｍＰＰキャップ用ボトル缶についても、同様に供試した。
この結果、表２に示すように、本発明の実施例では、比較例に比べて第１トルクが向上していることがわかる。
【００４４】
【表２】
0005930844.tif 000003
【００４５】
なお、本発明の技術範囲は上記各実施形態に限定されるものではなく、本発明の趣旨を逸脱しない範囲において種々の変更を加えることが可能である。
【符号の説明】
【００４６】
１…ねじ付き容器、２…ねじ付き容器本体、２ａ…雄ねじ部、２ｂ…口部、２ｃ…口唇部、２ｅ，２２ｅ…膨出部、３…金属キャップ、３ａ…天板部、３ｂ…筒状周壁部、３ｃ…橋絡部、３ｄ…ピルファープルーフ部、４…キャップ本体、５…ライナー、Ｃ…口部の中心軸、Ｄ１，Ｄ２…歪んでいる部分
【図１】
0005930844.tif 000004
【図２】
0005930844.tif 000005
【図３】
0005930844.tif 000006
【図４】
0005930844.tif 000007